(57)【要約】【課題】  装置筐体の薄型化にもかかわらず、チルト調整機構により光ピックアップからの光の出射方向のばらつきを調整するに好適な構造を提供する。【解決手段】  筐体１１０内に、ディスクモータ２２０により回転駆動されるターンテーブル１２０と共に、装着された光ディスクＤの半径方向に移動可能に取り付けられた光ピックアップ１３０と、ターンテーブルに装着された光ディスクに対する光ピックアップの傾斜角度を調整可能とするチルト調整機構（シャフト２３０、２３５、調整ネジ２３１、２３６等）とを備えた光ディスク装置において、光ピックアップをチルト調整機構と共に、筐体内に平行に取り付けられらシャーシ２１０に取り付けると共に、ディスクモータ２２０を、シャーシに対して所定の角度だけ傾けて取り付ける。【選択図】      図４
2008004166.tif 000002
【特許請求の範囲】
【請求項１】
装置の筐体内に、少なくともディスクモータと、当該ディスクモータに取り付けられ、光ディスクを装着して回転駆動するためのターンテーブルと共に、当該装着された光ディスクの半径方向に移動可能に取り付けられた光ピックアップと、前記ターンテーブルに装着された光ディスクに対する当該光ピックアップの傾斜角度を調整可能とする角度調整機構とを備えた光ディスク装置において、
前記光ピックアップを前記角度調整機構と共に、前記筐体内において平行に取り付けられらシャーシに取り付けると共に、前記ディスクモータを、当該シャーシに対して所定の角度だけ傾けて取り付けたことを特徴とする光ディスク装置。
【請求項２】
前記請求項１に記載した光ディスク装置において、前記所定の角度は０．３〜０．５°であることを特徴とする光ディスク装置。
【請求項３】
前記請求項１に記載した光ディスク装置において、前記装置の筐体の厚さが略９ｍｍ又はそれ以下であることを特徴とする光ディスク装置。
【請求項４】
前記請求項１に記載した光ディスク装置において、前記光ピックアップから出射される光が、前記角度調整機構による調整前において、前記装着された光ディスクの外周方向に向うように設定されていることを特徴とする光ディスク装置。
【請求項５】
前記請求項１に記載した光ディスク装置において、前記装着された光ディスクが近接する前記筐体の一部に、切り欠き又は段部を形成したことを特徴とする光ディスク装置。
【請求項６】
前記請求項１に記載した光ディスク装置において、更に、装着される光ディスクに対向してトレーが形成されており、かつ、前記装着された光ディスクが近接する前記トレーの一部に、切り欠き又は段部を形成したことを特徴とする光ディスク装置。
【発明の詳細な説明】
【技術分野】
【０００１】
本発明は、ＣＤやＤＶＤなどのディスク状の光記録媒体（以下、「光ディスク」と称する）へ情報の記録又は再生を行う光ディスク装置に係り、特に、光ピックアップのチルト調整機構を備えた薄型の光ディスク装置の構造に関する。
【背景技術】
【０００２】
光ディスクを記録媒体として情報の記録又は再生を行う光ディスク装置は、例えば、パーソナルコンピュータをはじめとする各種の電子装置における情報記録装置として、広く使用されている。かかるディスク装置では、パーソナルコンピュータ内の狭小な空間内に装着可能な薄型の光ディスク装置への要望が強く、そのための種々の工夫がなされている。
【０００３】
例えば、以下の特許文献１では、やはり小型のディスク装置において、ピックアップモジュールと筐体との間のクリアランス（隙間）を確保するため、その一部にピックアップと、当該ピックアップをディスクの半径方向に移動可能に保持する複数のシャフトと、当該シャフトをディスク面に対し垂直方向に移動するチルト調整部とを備えた、所謂、ピックアップモジュール（又は、ユニットメカ部）を、トレーに対して所定の角度だけ傾けて装着することにより、装置の筐体と上記ピックアップモジュールとの間に、上述したチルト調整部が移動可能な隙間を確保する構造が提案されている。なお、この場合、一般的に、トレーは、装置の筐体内において平行移動することから、その公報の図３にも明らかなように、上記ピックアップモジュールは、当該筐体内において、所定の角度だけ傾けて装着されることとなる。
【特許文献１】特開２００３−１１５１７５号公報
【発明の開示】
【発明が解決しようとする課題】
【０００４】
ところで、上述した従来技術により知られる構成では、上記ピックアップモジュールを筐体内において所定の角度だけ傾けて装着することにより、当該ピックアップモジュールにおけるチルト調整部を下方に移動可能な隙間を確保することは可能となる。しかしながら、一般に、チルト調整部は、上記ピックアップモジュールを構成する光ピックアップからの光が装着される光ディスクの記録表面に対して垂直に入射されるように調整するものであり、また、当該光ピックアップからの光の出射方向は、各々のピックアップにおいてそれぞれ異なる角度を有しており、そのため、上述したように、チルト調整部を下方に移動可能な隙間を確保することだけでは、かかるピックアップからの光の出射方向のばらつきを調整するためには不十分であるという問題があった。
【０００５】
そこで、本発明では、上述した従来技術における問題点に鑑みてなされたものであり、特に、チルト調整機構を備えた薄型の光ディスク装置において、光ピックアップからの光の出射方向のばらつきを調整するために好適な、改良された構造を備えた光ディスク装置を提供することをその目的とする。
【課題を解決するための手段】
【０００６】
そこで、本発明によれば、上記の目的を達成するため、まず、装置の筐体内に、少なくともディスクモータと、当該ディスクモータに取り付けられ、光ディスクを装着して回転駆動するためのターンテーブルと共に、当該装着された光ディスクの半径方向に移動可能に取り付けられた光ピックアップと、前記ターンテーブルに装着された光ディスクに対する当該光ピックアップの傾斜角度を調整可能とする角度調整機構とを備えた光ディスク装置において、
前記光ピックアップを前記角度調整機構と共に、前記筐体内において平行に取り付けられらシャーシに取り付けると共に、前記ディスクモータを、当該シャーシに対して所定の角度だけ傾けて取り付けた光ディスク装置が提供される。
【０００７】
また、本発明では、前記に記載した光ディスク装置において、前記所定の角度は０．３〜０．５°であることが好ましく、また、前記装置の筐体の厚さが略９ｍｍ又はそれ以下である。
【０００８】
更に、本発明によれば、前記に記載した光ディスク装置において、前記光ピックアップから出射される光が、前記角度調整機構による調整前において、前記装着された光ディスクの外周方向に向うように設定されていることが好ましく、更には、前記装着された光ディスクが近接する前記筐体の一部に、又は、装着された光ディスクが近接するトレーの一部に切り欠き又は段部を形成することが好ましい。
【発明の効果】
【０００９】
以上からも明らかなように、本発明によれば、その内部にチルト調整機構を備えた薄型の光ディスク装置において、光ピックアップからの光の出射方向のばらつきを調整するために好適な構造を備えた光ディスク装置が提供されるという優れた効果を発揮する。
【発明を実施するための最良の形態】
【００１０】
以下、本発明の実施の形態について、添付の図面を参照して詳細に説明する。
まず、添付の図１は、本発明の一実施の形態になる光ディスク装置を、その筐体の図示しないトップケースを外した状態で、その表側（ディスク載置側）から示した全体斜視図である。この図１において、符号１００は、光ディスク装置であり、その薄板状の筐体（ボトムケース）１１０の内部には、光ディスクを回転駆動するためのここでは図示しないディスクモータなどと共に、その先端部に取り付けられ、装填される光ディスクをその外周に装着（嵌着）するためのターンテーブル１２０、その一部には対物レンズ１３１などを含む光ピックアップ１３０、更には、後に述べるが、当該光ピックアップを装填される光ディスクの半径方向に移動可能な移動機構などを備えている。また、この図中において、符号１４０は、例えば、樹脂により略円盤状に形成されたトレーを、符号１５０は、以下に述べるユニットメカニズム（以下、単に、「ユニットメカ」と称す）の上部に設けられた金属板からなる上部ユニットカバーを示している。また、図中の符号１６０は、光ディスク装置の表面を構成するベゼルである。
【００１１】
次に、添付の図２は、上述したユニットメカ２００を、その裏（下）面側から見た斜視図であり、この図からも明らかなように、ユニットメカシャーシ２１０には、光ディスクを回転駆動するディスクモータ２２０が、例えば、３つの位置に配置されたネジ２２１〜２２３により取り付けられている。また、このユニットメカシャーシ２１０には、上記光ピックアップ１３０の両側面に対向して設けられた一対のシャフト２３０、２３５が、互いに平行に取り付けられている。なお、その一方のシャフト２３０の近傍には、互いに平行に、外周表面にネジ溝が形成された駆動用シャフト２３６が配置されており、例えば、モータ２４０等による回転に伴って、上記光ピックアップ１３０をその一端において駆動し、もって、装填される光ディスクの半径方向（図の矢印を参照）に移動する。他方、上記の一対のシャフト２３０、２３５は、所謂、ガイドシャフトであり、上記光ピックアップ１３０の両端においてスライドしながら、当該ピックアップを平行に案内する。なお、これら一対のシャフト２３０、２３５の先端部には、調整ネジ２３１、２３７がそれぞれ設けられており、もって、上記光ピックアップ１３０の光ディスク表面に対する傾斜を調整するための、即ち、チルト調整機構（角度調整機構）を構成している。また、図中の符号２１１〜２１３は、上記のユニットメカ２００を筐体（ボトムケース）１１０に取り付けるためのダンパー部を示している。
【００１２】
また、この図には、上記上部ユニットカバー１５０が取り外された状態で示されており、その中央部に形成された開口部１５１を介して、その移動にもかかわれず、光ピックアップ１３０の表面に配置された対物レンズ１３１から出射されたレーザ光が、光ディスクの記録面に入射し、そして、当該光ディスクの記録面からの反射光が、再び、上記対物レンズ１３１に入射されることが分る。なお、ここでは図示しないが、上記の筐体１１０内には、上述した構成の他、更に、必要な信号処理回路や制御回路等が設けられていることは言うまでもなかろう。
【００１３】
続いて、添付の図３には、上述した光ピックアップ１３０の側面図を示しており、この図において、矢印は、上述したように、上記駆動用シャフト２３６により駆動されて、当該ピックアップが互いに平行に取り付けられた一対のシャフト２３０、２３５に沿って移動する方向（上記図２の矢印を参照）を示している。そして、図にも示すように、光ピックアップ１３０の内部には、図示しないが、例えば、半導体レーザ等の発光素子と共に、必要な光学系や駆動回路等が設けられると共に、その表（上）面には、上記対物レンズ１３１から光が出射される。なお、この出射光は、図に破線で示すように、矢印の光ピックアップ１３０の移動方向（又は、光ピックアップ１３０の表面）に対して垂直な方向に出射されることが好ましいが、しかしながら、その製造過程におけるばらつき等を原因として、図に矢印で示すように、その前後に多少傾斜して出射されることが多い。なお、ここでは、図の時計回り方向を「＋」で、そして、反時計回り方向を「−」で表す。なお、光ピックアップ１３０におけるこの出射方向のばらつきは、発明者らによる調査の結果では、±１〜２°程度であった。
【００１４】
そこで、本発明では、添付の図４（ａ）に示すように、まず、上述した光ディスクを回転駆動するためのディスクモータ２２０を、上記図２のユニットメカ２００に対して傾斜して取り付ける。なお、具体的には、図にも明らかなように、上記ユニットメカ２００の基板を構成するユニットメカシャーシ２１０に対して、例えば、θ＝０．３°〜０．５°程度の角度だけ、光ピックアップ１３０の対物レンズ１３１から離れる方向に傾斜して取り付けられる。かかる構成によれば、装置内に挿入された光ディスクＤは、上記ディスクモータ２２０の先端部に取り付けたターンテーブル１２０の外周に、やはり傾斜して装着されることとなる。なお、このように、ディスクモータ２２０をユニットメカ２００に対して、即ち、そのユニットメカシャーシ２１０に対して所定の角度だけ傾斜して取り付けることによれば、図からも明らかなように、当該ユニットメカシャーシ２１０上において、一対のシャフト２３０、２３５とその調整ネジ２３１、２３６により構成されたチルト調整機構、及び、当該チルト調整機構を介して移動可能に取り付けられた光ピックアップ１３０は、その上下において十分な隙間（クリアランス）ＵＣ、ＬＣを確保することが可能となる。
【００１５】
その後、添付の図４（ｂ）に示すように、上記のチルト調整機構、即ち、調整ネジ２３１、２３６（上記図２を参照）により、光ピックアップ１３０の光ディスクＤに対する傾き、より具体的には、光ピックアップ１３０の対物レンズ１３１から出射されたレーザ光が光ディスクＤの記録表面に対して垂直に入射するように調整を行なう。なお、これらの図において、符号１１１は、上記装置の筐体（ボトムケース）の他の一部を構成するトップケースを示しており、また、符号１７０は、上記ユニットメカ２００において、上部ユニットカバー１５０に対向して設けられた、やはり、例えば、薄い金属板からなる下部ユニットカバーを示している。
【００１６】
なお、本発明では、上述した構成により、例えば、その幅が９ｍｍ程度又はそれ以下の超薄型の光ディスク装置においても、光ピックアップからの光の出射方向のばらつきを、容易にかつ短時間で調整することが可能であった。加えて、本発明では、上記図３で示した、上記製造された光ピックアップ１３０の対物レンズ１３１から出射されるレーザ光の傾斜角度を、その製造過程を改良することなどにより、常に、又は、その大半を、例えば図の「−」側に傾斜されせるようにすることが好ましい。なお、このことによれば、上記添付の図４（ｂ）に示したチルト調整機構、即ち、調整ネジ２３１、２３７（上記図２を参照）による調整を、一方向（即ち、図の上方）にだけ行なえばよく、もって、必要な調整作業を容易にし、更には、そのための時間を短縮することも可能になる。
【００１７】
続いて、上記に詳述した本発明になる光ディスク装置について、その他の実施の形態について以下に説明する。
即ち、上述したように、本発明になる光ディスク装置では、光ディスクを回転駆動するためのディスクモータ２２０を、ユニットメカ２００に対して傾斜して、即ち、そのユニットメカシャーシ２１０に対して所定の角度だけ傾けて取り付ける。このことから、装置内に挿入された光ディスクＤも、また、傾斜して装着されることとなる。その結果、傾斜して装着された光ディスクＤは、例えば、円盤形状の歪などを原因として、特に、その傾斜方向の先端部がトレー１４０の外周部や装置筐体のトップケース１１１の内周面に接触してしまい、光ディスクの記録表面を傷付け、又は、騒音（異常音）を発生すること等が考慮される。
【００１８】
そこで、本発明の他の実施形態になる光ディスク装置では、添付の図５（ａ）及び（ｂ）に示すように、上記光ディスクＤが接触する可能性の高い箇所に凹部や切り欠き部を設けることにより、上述の問題点を解消するものである。より具体的には、例えば、添付の図６（ａ）及び（ｂ）にも示すように、例えば、平板状のトップケース１１１の内周面に接触する部分に切り欠き１１２や段部１１３を設ける。あるいは、これと共に、又は、個別に、トレー１４０の外周部にも、添付の７にも示すように、切り欠き１４１や段部１４２を設ける。
【００１９】
なお、上述した他の実施形態になる光ディスク装置の構成によっても、やはり、その幅が９ｍｍ程度の超薄型の光ディスク装置においても、光ピックアップからの光の出射方向のばらつきを、容易にかつ短時間で調整することが可能であると共に、ディスクモータ２２０の傾斜に伴う光ディスクＤの装置の一部への接触による不具合を解消することが可能となる。
【図面の簡単な説明】
【００２０】
【図１】本発明の一実施の形態になる光ディスク装置のトップカバーは外した状態での全体構成を示す斜視図である。
【図２】上記光ディスク装置におけるユニットメカをその裏側から示す一部展開斜視図である。
【図３】本発明の光ディスク装置における光ピックアップの傾斜補正の原理を説明するための図である。
【図４】上記本発明の光ディスク装置におけるユニットメカの取り付け構造及びそのチルト調整後の状態を示す断面図である。
【図５】本発明の他の実施形態になる光ディスク装置の構造を示す断面図である。
【図６】上記他の実施形態になる光ディスク装置のトップケースの構造を示す斜視図である。
【図７】上記他の実施形態になる光ディスク装置のトレーの構造を示す斜視図である。
【符号の説明】
【００２１】
１１０…筐体
１２０…ターンテーブル
１３０…光ピックアップ
１４０…トレー
１５０…上部ユニットカバー
２００…ユニットメカ
２１０…シャーシ
２２０…ディスクモータ
２３０、２３５…シャフト
２３６…駆動用シャフト
２３１、２３７…調整ネジ
２４０…モータ
Ｄ…光ディスク
【図１】
2008004166.tif 000003
【図２】
2008004166.tif 000004
【図３】
2008004166.tif 000005
【図４】
2008004166.tif 000006
【図５】
2008004166.tif 000007
【図６】
2008004166.tif 000008
【図７】
2008004166.tif 000009